(57)【要約】【課題】フィルタのメンテナンス性を低下させることなく、乾燥能力低下を防止すること。【解決手段】循環送風経路１５の途中に設けられた糸くずなどの異物を捕集するフィルタ２は、フィルタ２を本体５の上方から着脱自在に設けたフィルタ室２２の循環空気導入口４０から入り循環空気排出口３６へ流れる乾燥用空気に対し、上流側の主フィルタ２１と下流側のバックアップフィルタ４１から成り、主フィルタ２１は、バックアップフィルタ４１が装着された後に装着され、バックアップフィルタ４１は、主フィルタ２１が外された後に外される構成とすることにより、メンテナンス性を低下させることなく、糸くずなどの異物を確実に捕集して、異物による乾燥能力低下を防止することができる。【選択図】図４
2015223191.tif 000002
【特許請求の範囲】
【請求項１】
本体と、洗濯物を収容する回転ドラムと、前記本体内に揺動自在に支持され前記回転ドラムを回転自在に内包する水槽と、前記回転ドラムを回転駆動するモータと、前記回転ドラム内に供給する乾燥用空気を生成する空気調和機と、生成された乾燥用空気を連結する循環送風経路を通じて前記回転ドラム内に送風する送風ファンと、前記循環送風経路の途中に設けられた糸くずなどの異物を捕集するフィルタと、前記フィルタを前記本体の上方から着脱自在に設けたフィルタ室と、前記モータや前記送風ファン等を制御し、洗い、すすぎ、脱水、乾燥などの一連の行程を逐次制御する制御手段を有する制御装置とを備え、前記フィルタは、前記フィルタ室の循環空気導入口から入り循環空気排出口へ流れる乾燥用空気に対し、上流側に位置する主フィルタと下流側に位置するバックアップフィルタからなり、前記主フィルタは、前記バックアップフィルタが装着された後に装着され、前記バックアップフィルタは、前記主フィルタが外された後に外される構成とする洗濯乾燥機。
【請求項２】
バックアップフィルタは、主フィルタ当接リブに、主フィルタに形成した主フィルタ押し込みリブが当接して所定の位置に装着されるようにした請求項１に記載の洗濯乾燥機。
【請求項３】
フィルタ室は、バックアップフィルタ下部が挿入され装着する凹部を内底部に形成した請求項１または２に記載の洗濯乾燥機。
【請求項４】
フィルタ室は、後部に突起部を形成し、バックアップフィルタに形成した嵌合部を前記突起部に嵌合することによりバックアップフィルタを前記フィルタ室に装着する請求項１〜３のいずれか１項に記載の洗濯乾燥機。
【請求項５】
フィルタ室は、内底部に形成した凹部の入口近傍に凸部を形成し、バックアップフィルタを前記凹部に挿入されないと、前記バックアップフィルタは前記凸部に当接して、主フィルタが装着が阻止される請求項１〜４のいずれか１項に記載の洗濯乾燥機。
【発明の詳細な説明】
【技術分野】
【０００１】
本発明は、衣類の洗濯および乾燥を行なう洗濯乾燥機に関するものである。
【背景技術】
【０００２】
従来、この種の洗濯乾燥機は、ドラム内の空気を除湿、加熱し、再度ドラム内へ供給することにより衣類の乾燥を行なう構成が提案されてきた（例えば、特許文献１参照）。
【０００３】
図１０は、特許文献１に記載された従来の洗濯乾燥機の縦断面図、図１１は、同洗濯乾燥機の要部断面図で、（ａ）は機械室の内部構成を示す断面図、（ｂ）はＸｂ矢視図、（ｃ）はＸｃ矢視図を示している。
【０００４】
図１０、図１１（ａ）、（ｂ）、（ｃ）において、外箱１０１内に複数のダンパスプリング１０４にて弾性支持された水受槽１１１が収納され、水受槽１１１には回転自在に回転槽１１８が内包されている。また、回転槽１１の中央底部には攪拌用のパルセータ１２０が設けられており、このパルセータ１２０および回転槽１１８は、水受槽１１１の外底部に設けられたモータ１１５により回転駆動される。
【０００５】
外箱１０１の上端部にはトップカバー１０５が固定されており、トップカバー１０５の中央部には投入口１０６が形成され、後部には上面が開口する機械室１０９が形成されている。そして、機械室１０９上部の開口は、バックカバー１１０にて覆われている。
【０００６】
機械室１０９内には、空気流路に相当する筒状で前後方向に延びるケーシング１２１が設けられ、ケーシング１２１は上ケーシング分割体１２２および下ケーシング分割体１２３にて構成されている。
【０００７】
ケーシング１２１内には水平部１２６に位置してヒータブラケット１２７が固定されており、このヒータブラケット１２７は上ケーシング分割体１２２の上ブラケット分割体１２８と下ケーシング分割体１２３の下ブラケット分割体１２９とを接合することにより筒状に構成されている。そして、このヒータブラケット１２７内にヒータ１３０が設けられている。
【０００８】
トップカバー１０５とバックカバー１１０との間には、隙間状の挿入口１３８が形成され、この挿入口１３８内には、乾燥風からの粉塵などの異物を除去するフィルタ１４０が設けられたフィルタフレーム１３９が着脱自在に挿入されている。
【０００９】
また、ケーシング１２１内には、ヒータ１３０の入口１３４側に位置してガードに相当する吸気側邪魔板１４３が固定されており、ケーシング１２１内に入口１３４を通して水滴・指・棒等の異物が侵入し、ヒータ１３０に接触することを防止している。そして、ヒータ１３０の出口１３７側に位置してガードに相当する排気側邪魔板１４５が固定されており、ケーシング１２１内に出口１３７を通して水滴・指・棒等の異物が侵入し、ヒータ１３０に接触することを防止している。なお、この吸気側邪魔板１４３、排気側邪魔板１４５には、左右方向へ延びるスリット１４４が形成されている。
【００１０】
以上の構成にて、乾燥行程で回転槽１１８が回転すると、外気が回転槽１１８の回転力で機械室１０９後方の吸気口１３３からフィルタ１４０を通ってケーシング１２１へ入り、ヒータ１３０で温められ、温められた外気は機械室１０９前方の排気口１３６を通して回転槽１１８に吸引され、回転槽１１８内の衣類の間を通り、回転槽１１８の外部に排出
され、乾燥が進む。
【先行技術文献】
【特許文献】
【００１１】
【特許文献１】特開２００４−３１３５１５号公報
【発明の概要】
【発明が解決しようとする課題】
【００１２】
しかしながら、前記従来の構成では、フィルタの風下側にガード（吸気側邪魔板）を設けているため、フィルタで捕集できなかった糸くずなどの異物がこのガードのスリットに付着し、その異物が結露水等で固着した場合、異物を掃除することができないので、風量が低下し、これにより乾燥能力の低下が生じるという課題を有していた。
【００１３】
本発明は、前記従来の課題を解決するもので、フィルタのメンテナンス性を低下させることなく、糸くずなどの異物を確実に捕集して異物による乾燥能力低下を防止するドラム式洗濯乾燥機を提供することを目的としている。
【課題を解決するための手段】
【００１４】
前記従来の課題を解決するために、本発明の洗濯乾燥機は、本体と、洗濯物を収容する回転ドラムと、前記本体内に揺動自在に支持され前記回転ドラムを回転自在に内包する水槽と、前記回転ドラムを回転駆動するモータと、前記回転ドラム内に供給する乾燥用空気を生成する空気調和機と、生成された乾燥用空気を連結する循環送風経路を通じて前記回転ドラム内に送風する送風ファンと、前記循環送風経路の途中に設けられた糸くずなどの異物を捕集するフィルタと、前記フィルタを前記本体の上方から着脱自在に設けたフィルタ室と、前記モータや前記送風ファン等を制御し、洗い、すすぎ、脱水、乾燥などの一連の行程を逐次制御する制御手段を有する制御装置とを備え、前記フィルタは、前記フィルタ室の循環空気導入口から入り循環空気排出口へ流れる乾燥用空気に対し、上流側に位置する主フィルタと下流側に位置するバックアップフィルタからなり、前記主フィルタは、前記バックアップフィルタが装着された後に装着され、前記バックアップフィルタは、前記主フィルタが外された後に外される構成としたものである。
【００１５】
これによって、主フィルタ、バックアップフィルタを掃除するメンテナンス性を低下させることなく、糸くずなどの異物を確実に捕集して、異物による乾燥能力低下を防止することができる。
【発明の効果】
【００１６】
本発明の洗濯乾燥機は、主フィルタと別にバックアップフィルタを設けて二重フィルタ構造にすることにより、付着した異物の除去が簡単で、乾燥能力の低下を防止することができる。
【図面の簡単な説明】
【００１７】
【図１】本発明の実施の形態におけるドラム式洗濯乾燥機の縦断面図
【図２】同ドラム式洗濯乾燥機の内部後面斜視図
【図３】同ドラム式洗濯乾燥機の上部から見た斜視図
【図４】同ドラム式洗濯乾燥機の主フィルタとバックアップフィルタを取り外した斜視図
【図５】同ドラム式洗濯乾燥機の主フィルタの拡大斜視図
【図６】同ドラム式洗濯乾燥機のバックアップフィルタの拡大斜視図
【図７】同ドラム式洗濯乾燥機のバックアップフィルタの上部の取付関係を示す要部拡大断面図
【図８】同ドラム式洗濯乾燥機のバックアップフィルタの取付関係を示す要部拡大断面図
【図９】同ドラム式洗濯乾燥機の要部断面図
【図１０】従来の洗濯機の縦断面図
【図１１】同洗濯機の要部断面図
【発明を実施するための形態】
【００１８】
第１の発明は、本体と、洗濯物を収容する回転ドラムと、前記本体内に揺動自在に支持され前記回転ドラムを回転自在に内包する水槽と、前記回転ドラムを回転駆動するモータと、前記回転ドラム内に供給する乾燥用空気を生成する空気調和機と、生成された乾燥用空気を連結する循環送風経路を通じて前記回転ドラム内に送風する送風ファンと、前記循環送風経路の途中に設けられた糸くずなどの異物を捕集するフィルタと、前記フィルタを前記本体の上方から着脱自在に設けたフィルタ室と、前記モータや前記送風ファン等を制御し、洗い、すすぎ、脱水、乾燥などの一連の行程を逐次制御する制御手段を有する制御装置とを備え、前記フィルタは、前記フィルタ室の循環空気導入口から入り循環空気排出口へ流れる乾燥用空気に対し、上流側に位置する主フィルタと下流側に位置するバックアップフィルタからなり、前記主フィルタは、前記バックアップフィルタが装着された後に装着され、前記バックアップフィルタは、前記主フィルタが外された後に外される構成とすることにより、主フィルタ、バックアップフィルタを掃除するメンテナンス性を低下させることなく、糸くずなどの異物を確実に捕集して、異物による乾燥能力低下を防止することができる。
【００１９】
第２の発明は、バックアップフィルタは、主フィルタ当接リブに、主フィルタに形成した主フィルタ押し込みリブが当接して所定の位置に装着することにより、バックアップフィルタの挿入不良による風路内への異物の入り込みを防止することができる。
【００２０】
第３の発明は、フィルタ室は、バックアップフィルタ下部が挿入され装着する凹部を内底部に形成したことにより、バックアップフィルタの挿入位置を明確にし、誤挿入を防止することができる。
【００２１】
第４の発明は、フィルタ室は、後部に突起部を形成し、バックアップフィルタに形成した嵌合部を前記突起部に嵌合することによりバックアップフィルタを前記フィルタ室に装着することにより、バックアップフィルタの装着を確実にし、フィルタ室とバックアップフィルタのシール部の磨耗を最小限に抑えることができ、磨耗による隙間からの異物漏れを防止することができる。
【００２２】
第５の発明は、フィルタ室は、内底部に形成した凹部の入口近傍に凸部を形成し、バックアップフィルタを前記凹部に挿入されないと、前記バックアップフィルタは前記凸部に当接して、主フィルタが装着が阻止することにより、バックアップフィルタの誤挿入を防止することができる。
【００２３】
以下、本発明の実施の形態について、図面を参照しながら説明する。また、この実施の形態によって本発明が限定されるものではない。
【００２４】
（実施の形態１）
図１は、本発明の実施の形態におけるドラム式洗濯乾燥機の縦断面図、図２は、同ドラム式洗濯乾燥機の内部後面斜視図、図３は、同ドラム式洗濯乾燥機の上部から見た斜視図である。
【００２５】
図１、図２において、ドラム式洗濯乾燥機１は、本体５内にサスペンション構造（図示
せず）によって水槽６が揺動自在に防振支持され、水槽６内には、有底円筒形に形成された回転ドラム７が、その軸心方向を正面側から背面側に向けて下向きに傾斜させて支持されている。
【００２６】
水槽６の正面側には回転ドラム７の開口端に通じる衣類出入口８が形成され、本体５の正面側に形成された上向き傾斜面に設けられた開口部を開閉可能に閉じる扉９を開くことにより、衣類出入口８を通じて回転ドラム７内に対して洗濯物を出し入れすることができる。扉９が上向き傾斜面に設けられているため、洗濯物を出し入れする作業を、腰を屈めることなく実施できる。
【００２７】
回転ドラム７には、その周面に水槽６内に通じる多数の透孔１０が形成され、内周面の複数位置に攪拌突起１１が設けられている。この回転ドラム７は、水槽６の背面側に取り付けられたモータ１２によって正転及び逆転方向に回転駆動される。
【００２８】
また、水槽６には、注水管路１３及び排水管路１４が配管接続され、注水弁（図示せず）及び排水弁（図示せず）の制御によって、水槽６内への注水及び排水がなされる。
【００２９】
扉９を開いて、回転ドラム７内に洗濯物及び洗剤を投入して、本体５の前面上部に設けられた操作表示部４９での操作により、制御手段（図示せず）を有する制御装置３による制御を通じて運転を開始させると、水槽６内には注水管路１３から所定量の注水がなされ、モータ１２により回転ドラム７が回転駆動されて、洗い行程が開始される。
【００３０】
回転ドラム７の回転により、回転ドラム７内に収容された洗濯物は、回転ドラム７の内周壁に設けられた攪拌突起１１によって回転方向に持ち上げられ、持ち上げられた適当な高さ位置から落下する攪拌動作が繰り返されるので、洗濯物には叩き洗いの作用が及んで、洗いがなされる。
【００３１】
所要の洗濯時間の後、汚れた洗濯液は排水管路１４から排出され、回転ドラム７を高速回転させる脱水動作により洗濯物に含まれた洗濯液を脱水し、その後、水槽６内に注水管路１３から注水してすすぎ行程が実施される。このすすぎ行程においても、回転ドラム７内に収容された洗濯物は、回転ドラム７の回転により攪拌突起１１により持ち上げられて落下する攪拌動作が繰り返されてすすぎ洗いが実施され、再度脱水行程を行う。その後、乾燥行程を行う。
【００３２】
洗濯物を乾燥する機能については、水槽６内の空気を排気して除湿し、加熱した乾燥した空気を再び水槽６内に送風する循環送風経路１５が形成されている。この循環送風経路１５の途中には、蒸発器１６などの除湿手段、凝縮器１７などの加熱手段及び送風手段である送風ファン１８が設けられている。
【００３３】
乾燥行程において、送風ファン１８を回転駆動することにより、循環送風経路１５に空気の流れが発生して、洗濯物を収容した回転ドラム７内の空気は透孔１０を通じて水槽６から送風ファン１８側への循環空気導入管路１９に排気され、送風ファン１８の上流に位置する蒸発器１６に水分を結露させて除湿することと、昇温する凝縮器１７との熱交換により加熱することとで常に乾燥した高温の空気とされる。
【００３４】
この乾燥した高温の空気は、送風ファン１８から水槽６への送風管路２０に送り出されて水槽６内に送風される。水槽６内に送風された高温の乾燥空気は透孔１０を通じて回転ドラム７内に入って衣類などの洗濯物に曝されながら水槽６へと抜け、再度循環空気導入管路１９へと導入され、以上の循環送風経路１５での空気の循環の繰り返しにより乾燥行程が進んでいく。
【００３５】
また、この循環送風経路１５を利用した乾燥行程では、循環送風経路１５を循環される空気中に、主として衣類などの洗濯物から発生する糸くずなどの異物が混じって循環し、蒸発器１６や凝縮器１７の目詰まり、送風ファン１８の回転部への噛み込み、送風ファン１８の内面への堆積といった乾燥行程を実施するのに支障を来しやすく、面倒なメンテナンスを頻繁に行う必要があることから、循環送風経路１５の途中に、具体的には蒸発器１６、凝縮器１７、送風ファン１８の上流側、従って、循環空気導入管路１９の途中に、循環空気中の異物を除去する主フィルタ２１とバックアップフィルタ４１（図４参照）で構成されるフィルタ２を収容したフィルタ室２２を設けている。
【００３６】
これによって、洗濯物を乾燥させた後の空気に異物が混入して蒸発器１６側の循環空気導入管路１９側に導入されてきても、異物はフィルタ室２２を通る際に主フィルタ２１によって捕集され、下流側への循環空気に混入することはない。従って、蒸発器１６、凝縮器１７、送風ファン１８の機能が長期に保全される。しかし一方では、フィルタ室２２内の主フィルタ２１には捕集された異物が堆積していき、循環空気の通過抵抗が徐々に増していき、乾燥機能を低下させる問題があるので、主フィルタ２１は着脱できるように設けられている。
【００３７】
なお、蒸発器１６、凝縮器１７はこれらに冷媒を循環させる冷媒回路で接続した圧縮機２３と共に１つの器体２４に収容した空気調和機２５として取り扱い、この空気調和機２５の導入空気を除湿及び加熱した後に排気する排気口２６側に、送風ファン１８の吸気口２７側を相互間の防振構造部を有して結合し、一体化している。これにより、圧縮機２３、蒸発器１６、凝縮器１７が器体２４への収納により一纏めになった大量生産向きの機器となった空気調和機２５と送風ファン１８との２つの単独機器の結合で４つの機器、つまり圧縮機２３、蒸発器１６、凝縮器１７、送風ファン１８のそれぞれを循環送風経路１５の一部となして所定の機能を達成する空調送風ユニット２８として関係付けられている。
【００３８】
図３は、本発明の実施の形態におけるドラム式洗濯乾燥機の上部から見た斜視図、図４は、同ドラム式洗濯乾燥機の主フィルタとバックアップフィルタを取り外した斜視図、図５は、同ドラム式洗濯乾燥機の主フィルタの拡大斜視図、図６は、同ドラム式洗濯乾燥機のバックアップフィルタの拡大斜視図である。
【００３９】
図３、図４、図５、図６において、主フィルタ２１は、本体５の天面２９ａに開口する着脱口３０から、下部より上部へ前方に傾斜した着脱経路３１でフィルタ室２２に対し着脱できるようになっている。このようにすれば、乾燥行程において循環送風経路１５を循環する循環空気を、循環送風経路１５途中のフィルタ室２２に装着した主フィルタ２１に通して、糸くずなどの異物を捕集するのに、主フィルタ２１は比較的背の高い本体５の天面２９ａにて着脱することにより人などが不用意に引っ掛かって弛むようなことを回避しやすい条件を満足して、しかも、本体５の天面２９ａに開口した着脱口３０から、拗れの生じ難い下部より上部へ前方に傾斜した着脱経路３１に沿った方向で難なくスムーズに着脱できる。それには、着脱口３０からこれに続くフィルタ室２２が主フィルタ２１の所定位置への着脱ストロークの全長にて傾斜した着脱経路３１により案内できるようにするのが好適である。
【００４０】
また、主フィルタ２１は、着脱口３０を塞ぐ天板３２を有し、この天板３２に手掛り凹部３３を有したものとしている。これにより、主フィルタ２１の着脱口３０を通じた装着によって、その最終に着脱口３０を天板３２で塞いで外観をほぼ面一状態にするなど、美観よく整え、また、天板３２に設けた手掛り凹部３３に手指を掛けて安定して引き出し装着できる。
【００４１】
さらに、主フィルタ２１は、天板３２から下方に延びるように一体成形するか連結した主支持枠３４に主フィルタ材３５を支持して、フィルタ室２２の循環空気排出口３６の内側に位置させ、主支持枠３４の天板３２下部分の外周にシリコンゴムなどよりなるシールパッキン３７を装着して、主フィルタ２１のフィルタ室２２の所定位置への装着時に、このシールパッキン３７が着脱口３０の内側の内周にある段部３８に圧接してフィルタ室２２を密閉するようにしてあり、主フィルタ２１とフィルタ室２２との間には主フィルタ２１の所定位置への装着時に弾性的に係合し合う弾性係合部３９を設けてある。
【００４２】
これにより、天板３２で着脱口３０を塞ぐように主フィルタ２１をフィルタ室２２に装着するだけで、天板３２から下方に延びる主支持枠３４が、主フィルタ材３５を伴いフィルタ室２２に挿入でき、所定の装着位置で主支持枠３４の天板３２下部分の外周に設けたシールパッキン３７の着脱口３０の内側の内周の段部３８への圧接と、弾性係合部３９の弾性係合とによってフィルタ室２２を密閉状態に維持するとともに、主フィルタ材３５をフィルタ室２２の循環空気排出口３６（図１参照）の内側に正しく位置決めできる。
【００４３】
特に、主支持枠３４のシールパッキン３７の装着部はフィルタ室２２の段部３８と対向し合うフランジ部３４ａで、シールパッキン３７がフランジ部３４ａへの装着部３７ａから延びて段部３８に圧接するシールリップ３７ｂを有しているので、シールパッキン３７は主支持枠３４のフランジ部３４ａに確固にバックアップされてシールリップ３７ｂを着脱口３０内側の内周の段部３８の全周によく馴染んで確実に圧接させられ、空気漏れが生じないようなっている。また、装着部３７ａは、フランジ部３４ａのバックアップによって補強されるので、薄いもので十分である。ここで、着脱口３０は、本体５の天面２９ａをなす天面壁２９ｂに形成しているのに対し、フィルタ室２２をシールパッキン３７によって密閉する段部３８は、着脱口３０の真下に位置させて支持したフィルタ室２２の開口２２ｄの内周に形成している。
【００４４】
主支持枠３４は、フィルタ室２２の内面にほぼ沿うような籠形をなし、シールパッキン３７の装着部３７ａの下で風上に設けられた循環空気を導入する循環空気導入口４０と、風下に設けられた循環空気排出口３６に対応する主フィルタ材３５を支持したものとしている。これにより、主支持枠３４が籠形をなしてフィルタ室２２の内面にほぼ沿うように位置して、フィルタ室２２の風上に設けられた循環空気導入口４０から循環空気を導入して、循環空気排出口３６に対応するに主フィルタ材３５を通して循環空気排出口３６へとフィルタ室２２の広さ一杯を利用してスムーズに排出させられる。
【００４５】
また、主フィルタ材３５は、必要に応じ、循環空気導入口４０に掛からず、またバイパスさせないことを条件に、循環空気排出口３６に対応する範囲はもとより、循環空気排出口３６を外れる広域に主フィルタ材３５を設けて循環空気排出口３６に向う循環空気を通すのにフィルタ室２２の広さを利用してもよい。これにより、主フィルタ材３５の循環空気の通過面積が増大する分だけ目詰まりしにくいものとなっている。
【００４６】
この場合、フィルタ室２２及びそれに装着した主フィルタ２１の双方が傾斜した状態になり、フィルタ室２２の内面が本体５の天面壁２９ｂに形成された着脱口３０に通じる着脱経路３１をなしている。
【００４７】
また、本実施の形態のフィルタ構成は、フィルタ室２２の循環空気導入口４０から入り循環空気排出口３６へ排出される循環空気に対し、先に働くようにした上述の主フィルタ２１と、その後に働くバックアップフィルタ４１との二重フィルタ構造としてある。
【００４８】
バックアップフィルタ４１は、主フィルタ２１よりも先に着脱口３０よりフィルタ室２２に装着して後で取り出され、主フィルタ２１は、バックアップフィルタ４１よりも後で
装着して先に取り出される関係を有し、バックアップフィルタ４１も着脱自在になっている。
【００４９】
バックアップフィルタ４１は、副支持枠４２で副フィルタ材４３を支持するようになっており、副支持枠４２の風下側外周の溝に副フィルタ材４３と重ならないように副シールパッキン４４を挿入固定し、フィルタ室２２の所定の場所に固定すると、副シールパッキン４４とフィルタ室２２が当接してシールされる。
【００５０】
図７は、本発明の実施の形態におけるドラム式洗濯乾燥機のバックアップフィルタの上部の取付関係を示す要部拡大断面図、図８は、同ドラム式洗濯乾燥機のバックアップフィルタの取付関係を示す要部拡大断面図、図９は、同ドラム式洗濯乾燥機のバックアップフィルタの誤装着例を示す断面図である。
【００５１】
図７において、フィルタ室２２内にバックアップフィルタ４１を装着するために、フィルタ室２２の後面内壁５２に沿って挿入した時に、挿入深さが不十分な状態であっても、後で装着する主フィルタ２１に形成した主フィルタ押し込みリブ５０が、バックアップフィルタ４１の上部に形成した主フィルタ当接リブ４５に当接して押し込むことにより、所定の位置に装着することができる。
【００５２】
これによって、バックアップフィルタ４１の挿入不良が防止できるので、挿入不良により循環風路内へ異物が入り込むのを防止することができる。
【００５３】
図８において、フィルタ室２２は、内底部にバックアップフィルタ４１を固定するための凹部４６が形成されており、バックアップフィルタ４１を装着時に、バックアップフィルタ４１をフィルタ室２２の後面内壁５２に沿って挿入し、その下部をこの凹部４６に挿入することにより、所定の場所にセットできるようになっている。
【００５４】
また、フィルタ室２２は、後部に突起部４７が形成されており、バックアップフィルタ４１には、この突起部４７と対応する位置に嵌合部５１が形成されている。そして、バックアップフィルタ４１の下部をフィルタ室２２の凹部４６に挿入してセットする時に、嵌合部５１を突起部４７に嵌合することにより、バックアップフィルタ４１はフィルタ室２２にしっかりと装着することができる。
【００５５】
図９において、フィルタ室２２内底部の凹部４６の入口近傍には、凸部４８が形成されており、バックアップフィルタ４１を装着する時に、フィルタ室２２の後面内壁５２に沿って凹部４６に挿入せず、装着不良になった場合は、バックアップフィルタ４１はこの凸部４８に乗り上げるようになり、そうすると主フィルタ２１を所定の場所に装着することが出来ず、バックアップフィルタ４１の誤装着がすぐ分かる。
【００５６】
以上のように構成されたドラム式洗濯乾燥機について、以下その動作、作用を説明する。
【００５７】
乾燥行程において、まず、循環空気導入口４０からフィルタ室２２に導入した循環空気は、主フィルタ２１の主フィルタ材３５、バックアップフィルタ４１の副フィルタ材４３を二重に通過して、循環空気排出口３６から循環空気導入管路へと送られていく。
【００５８】
これによって、薄く空気抵抗の少ない主フィルタ材３５および副フィルタ材４３にて細かな糸くずなどの異物を確実に捕集するので、蒸発器１６、凝縮器１７、送風ファン１８などの機器の機能の高い保全性能が得られるし、ほとんどの異物は先に通過する主フィルタ材３５によって捕集されるので、目詰まりは主フィルタ材３５の側で頻繁に生じ、副フ
ィルタ材４３の側での目詰まりの回数は主フィルタ材３５の場合に比し極端に少なくなる。
【００５９】
従って、主フィルタ２１、バックアップフィルタ４１を二重に装着した状態で、主フィルタ２１は、バックアップフィルタ４１をフィルタ室２２に残して先に引き出し、頻繁となる目詰まり処理に簡単に対応し再装着することができる。そして、バックアップフィルタ４１は、目詰まり処理が必要になったときだけ主フィルタ２１を引き出した後に引き出し、目詰まり処理後、主フィルタ２１に先立って装着した後、主フィルタ２１を装着することで使用状態に復帰する。従って、取り扱いが特に面倒になることはない。
【００６０】
以上のように、本実施の形態においては、循環送風経路１５の途中に設けられた糸くずなどの異物を捕集するフィルタ２は、フィルタ２を本体５の上方から着脱自在に設けたフィルタ室２２の循環空気導入口４０から入り循環空気排出口３６へ流れる乾燥用空気に対し、上流側の主フィルタ２１と下流側のバックアップフィルタ４１から成り、主フィルタ２１は、バックアップフィルタ４１が装着された後に装着され、バックアップフィルタ４１は、主フィルタ２１が外された後に外される構成とすることにより、主フィルタ２１、バックアップフィルタ４１を掃除するメンテナンス性を低下させることなく、糸くずなどの異物を確実に捕集して、異物による乾燥能力低下を防止することができる。
【００６１】
また、バックアップフィルタ４１は、上部に形成された主フィルタ当接リブ４５を、主フィルタ２１に形成した主フィルタ押し込みリブ５０が押し込むことにより、所定の位置に装着されるようにすることにより、バックアップフィルタ４１の挿入不良による風路内への異物の入り込みを防止することができる。
【００６２】
また、フィルタ室２２は、バックアップフィルタ４１下部を挿入し装着するための凹部４６を内底部に形成したことにより、バックアップフィルタ４１の挿入位置を明確にし、誤挿入を防止することができる。
【００６３】
また、フィルタ室２２は、後部に突起部４７を形成し、バックアップフィルタ４１に形成した嵌合部５１を突起部４７に嵌合することによりバックアップフィルタ４１をフィルタ室２２に装着するよう構成したことにより、バックアップフィルタ４１の装着を確実にし、フィルタ室２２とバックアップフィルタ４１のシール部の磨耗を最小限に抑えることができ、磨耗による隙間からの異物漏れを防止することができる。
【００６４】
また、フィルタ室２２は、内底部に形成した凹部４６の入口近傍に凸部４８を形成し、バックアップフィルタ４１を凹部４６に挿入しないと、バックアップフィルタ４１は凸部４８に乗り上げ、主フィルタ２１が装着不可となるよう構成することにより、バックアップフィルタ４１の誤挿入を防止することができる。
【００６５】
なお、本実施の形態は、ドラム式洗濯乾燥機に基づいて説明したが、縦型洗濯乾燥機に用いてもよい。
【産業上の利用可能性】
【００６６】
以上のように、本発明にかかる洗濯乾燥機は、バックアップフィルタを掃除するメンテナンス性を低下させることなく、糸くずなどの異物を確実に捕集して、異物による乾燥能力低下を防止することが可能となるので、パルセータ式洗濯乾燥機等の衣類の乾燥機能を有した洗濯乾燥機の用途にも適用できる。
【符号の説明】
【００６７】
２  フィルタ
３  制御装置
５  本体
６  水槽
７  回転ドラム
１２  モータ
１５  循環送風経路
１８  送風ファン
２１  主フィルタ
２２  フィルタ室
２５  空気調和機
３６  循環空気排出口
４０  循環空気導入口
４１  バックアップフィルタ
４５  主フィルタ当接リブ
４６  凹部
４７  突起部
４８  凸部
５０  主フィルタ押し込みリブ
５１  嵌合部
【図１】
2015223191.tif 000003
【図２】
2015223191.tif 000004
【図３】
2015223191.tif 000005
【図４】
2015223191.tif 000006
【図５】
2015223191.tif 000007
【図６】
2015223191.tif 000008
【図７】
2015223191.tif 000009
【図８】
2015223191.tif 000010
【図９】
2015223191.tif 000011
【図１０】
2015223191.tif 000012
【図１１】
2015223191.tif 000013